【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
発光装置（１０）であって、
第１電極（２２）、第２電極（３８）、第１電極（２２）と第２電極（３８）との間に配置された２種以上の有機エレクトロルミネセント（ＥＬ）材料（３０，２５，３５）、及び２種以上の有機エレクトロルミネセント（ＥＬ）材料（３０，２５，３５）の間に配置された電荷障壁材料を含む発光素子（２０）を備え、発光素子（２０）は前記電極間に電圧が印加されると第１スペクトルを有する第１電磁（ＥＭ）放射線を発光し、
さらに前記発光素子が発光する光の通路に配置された１種以上のフォトルミネセント（ＰＬ）材料（５０）を備え、前記ＰＬ材料は第１ＥＭ放射線の一部を吸収し、第２スペクトルを有する第２ＥＭ放射線を発光する、
発光装置（１０）。
【請求項２】
前記２種以上の有機ＥＬ材料（３０，２５，３５）が各々２つの異なる波長範囲のいずれかのＥＭ放射線を発光する、請求項１記載の発光装置（１０）。
【請求項３】
前記２つの異なる波長範囲が青色及び赤色ＥＭ放射線範囲である、請求項２記載の発光装置（１０）。
【請求項４】
発光装置（１０）であって、
（１）第１電極（２２）、第２電極（３８）、第１電極（２２）と第２電極（３８）との間に配置された別個の層に含有された２種以上の有機ＥＬ材料（３０，２５，３５）、及び有機ＥＬ材料（３０，２５，３５）の層間に配置された電荷障壁層を含む発光素子（２０）を備え、発光素子（２０）は電極（２２，３８）間に電圧が印加されると第１スペクトルを有する第１ＥＭ放射線を発光し、ここで少なくとも第１有機ＥＬ材料（２５）が３８０〜５００ｎｍの第１波長範囲を有するＥＭ放射線を発光し、第２有機ＥＬ材料（３５）が６００〜７７０ｎｍの第２波長範囲を有するＥＭ放射線を発光し、さらに
（２）前記発光素子が発光する光の通路に配置された１種以上のＰＬ材料（５０）を備え、ＰＬ材料（５０）は第１ＥＭ放射線の一部を吸収し、５００〜６００ｎｍの第３波長範囲を有する第２スペクトルを有する第２ＥＭ放射線を発光する、
発光装置（１０）。
【請求項５】
前記２種以上の有機ＥＬ材料（３０，２５，３５）が各々第１波長範囲及び第２波長範囲のいずれかの波長範囲を有するＥＭ放射線を発光する、請求項４記載の発光装置（１０）。
【請求項６】
発光装置（１０）であって、
（１）第１電極（２２）、第２電極（３８）、第１電極（２２）と第２電極（３８）との間に配置された別個の層に含有された２種以上の有機ＥＬ材料（３０，２５，３５）、及び有機ＥＬ材料（３０，２５，３５）の層間に配置された電荷障壁層を含む発光素子（２０）を備え、発光素子（２０）は基板（４０）上に配置され、前記電極間に電圧が印加されると第１スペクトルを有する第１ＥＭ放射線を発光し、さらに
（２）前記発光素子が発光する光の通路に配置された１種以上のＰＬ材料（５０）を備え、前記ＰＬ材料は第１ＥＭ放射線の一部を吸収し、５００〜６００ｎｍの波長範囲を有する第２スペクトルを有する第２ＥＭ放射線を発光し、
少なくとも第１有機ＥＬ材料（２５）が、ポリ（Ｎ−ビニルカルバゾール）、ポリ（アルキルフルオレン）、ポリ（ｐ−フェニレン）、ポリシラン、これらの誘導体、これらの混合物、これらの共重合体、１，３，５−トリス｛Ｎ−（４−ジフェニルアミノフェニル）フェニルアミノ｝ベンゼン、フェニルアントラセン、テトラアリールエテン、クマリン、ルブレン、テトラフェニルブタジエン、アントラセン、ペリレン、コロネン、アルミニウム（ピコリルメチルケトン）−ビス｛２，６−ジ（ｔ−ブチル）フェノキシド、スカンジウム（４−メトキシ−ピコリルメチルケトン）−ビス（アセチルアセトネート）、アルミニウムアセチルアセトネート、ガリウムアセチルアセトネート及びインジウムアセチルアセトネートからなる群から選択され、
少なくとも第２有機ＥＬ材料（３５）が、以下の式Ｉ〜ＩＶ、ＶＩＩ〜ＸＶからなる群から選択され、
【化１】
2004207223.tif 000001
【化２】
2004207223.tif 000002
（式ＩＶ中のＲ1、Ｒ2、Ｒ3及びＲ4は各々独立に芳香族基、置換芳香族基、複素芳香族基又は置換複素芳香族基からなる群から選択される。）
【化３】
2004207223.tif 000003
［式Ｖ中のＲ1及びＲ2は独立に次式ＶＩで表される。
【化４】
2004207223.tif 000004
（式中のＲ′及びＲ”は独立にアルキルアリール基、アルケニルアリール基及びヘテロアリール基からなる群から選択され、Ｑはアリール基及び縮合環芳香族基から選択される基であり、ｎは１〜３である。）］
【化５】
2004207223.tif 000005
【化６】
2004207223.tif 000006
（式中のＡはＢｒ-及びナフチル基から選択される。）
【化７】
2004207223.tif 000007
前記ＰＬ材料（５０）が有機ＰＬ材料及び無機ＰＬ材料から選択され、前記有機ＰＬ材料がアゾ色素、アントラキノン色素、ニトロジフェニルアミン色素、１−ニトロソ−２−ナフトール及び６−スルホール−１−ニトロソ−２−ナフトールの鉄（ＩＩ）錯体、クマリン色素及びキサンテン色素からなる群から選択され、
前記無機ＰＬ材料が、Ｃａ8Ｍｇ（ＳｉＯ4）4Ｃｌ2：Ｅｕ2+，Ｍｎ2+；ＧｄＢＯ3：Ｃｅ3+，Ｔｂ3+；ＣｅＭｇＡｌ11Ｏ19：Ｔｂ3+；Ｙ2ＳｉＯ5：Ｃｅ3+，Ｔｂ3+；ＢａＭｇ2Ａｌ16Ｏ27：Ｅｕ2+，Ｍｎ2+；（Ｃａ，Ｓｒ）Ｓ：Ｃｅ；Ｓｒ2Ｓｉ3Ｏ8・２ＳｒＣｌ2：Ｅｕ2+；Ｓｒ4Ａｌ14Ｏ25：Ｅｕ2+；Ｙ（Ｇｄ，Ｔｂ，Ｌｕ）3（Ａｌ，Ｇａ）5Ｏ12：Ｃｅ3+；  及びＭｎ添加マグネシウムフルオロゲルマネートからなる群から選択され、
前記電荷障壁層が、ポリ（Ｎ−ビニルカルバゾール）、バトクプロイン（ＢＣＰ）、アルミニウム（ＩＩＩ）ビス（２−メチル−８−キノリナト）トリフェニルシラノレート、アルミニウム（ＩＩＩ）ビス（２−メチル−８−キノリナト）−４−フェノレート、アルミニウム（ＩＩＩ）ビス（２−メチル−８−キノリナト）−４−フェニルフェノレート、Ｎ，Ｎ′−ジフェニル−Ｎ，Ｎ′−（３−メチルフェニル）−１，１′−ビフェニル−４，４′−ジアミン及びポリ（３−オクチル−４−メチルチオフェン）からなる群から選択される材料からなる、
発光装置（１０）。
【請求項７】
さらに、カプセル封止保護バリヤを備える、請求項６記載の発光装置（１０）。
【請求項８】
請求項１記載の発光装置（１０）複数個を備え、これら発光装置（１０）が支持体に装着された、発光ディスプレイ。
【請求項９】
各々２つの波長範囲の片方を有するＥＭ放射線を発光する少なくとも２種の有機ＥＬ材料を含有する発光装置（１０）の製造方法であって、
（１）第１導電性材料からなる第１電極（２２）及び第２導電性材料からなる第２電極（３８）を設け；第１電極（２２）と第２電極（３８）の間に少なくとも２種の有機ＥＬ材料（３０，２５，３５）を配置し；少なくとも２種の有機ＥＬ材料（３０，２５，３５）の間に電荷障壁材料を配置する工程を含むプロセスで発光素子（２０）を形成する工程と、
（２）前記発光素子に隣接して少なくとも１種のＰＬ材料（５０）を配置する工程と
を含む方法。
【請求項１０】
少なくとも２種の有機ＥＬ材料（３０，２５，３５）を配置する工程で、これらの有機ＥＬ材料（３０，２５，３５）各々を別個の層に配置する、請求項９記載の方法。
【手続補正２】
【補正対象書類名】明細書
【補正対象項目名】０００４
【補正方法】変更
【補正の内容】
【０００４】
ＯＥＬＤの他の例が、Ｊｕｎｊｉ  Ｋｉｄｏ  ｅｔ  ａｌ．，“Ｍｕｌｔｉｌａｙｅ
ｒ  Ｗｈｉｔｅ  Ｌｉｇｈｔ−Ｅｍｉｔｔｉｎｇ  Ｏｒｇａｎｉｃ  Ｅｌｅｃｔｒｏｌｕｍｉｎｅｓｃｅｎｔ  Ｄｅｖｉｃｅ，”  ２６７  Ｓｃｉｅｎｃｅ  １３３２−１３３４
（１９９５）に記載されている。この素子は、各々青色、緑色又は赤色光を発する異なるキャリヤ（又は電荷）輸送特性を有する３つのエミッタ層を備え、これらの層を一緒に用いて白色光を発生する。しかし、これらの層を順次形成するには、不必要な電荷輸送障壁を層間の界面に導入しないように、細心の注意が必要である。この素子では、異なる色を発する層は、通常、異なる速度で経時的に劣化する。その結果、素子から発せられる光の色は経時的に変化しがちである。さらに、層間の界面に欠陥があるため、素子の発光領域全体にわたる光出力の均一性が目標を下回るおそれがある。
【特許文献１】米国特許第５２９４８７０号明細書
【特許文献２】米国特許第６００４６８５号明細書
【特許文献３】米国特許第６０２３３７１号明細書
【特許文献４】米国特許第６０３０７１５号明細書
【特許文献５】米国特許第６０４８６３０号明細書
【特許文献６】米国特許第６１２７６９３号明細書
【特許文献７】米国特許第６３０３２３８号明細書
【特許文献８】米国特許第６３２９０８４号明細書
【特許文献９】米国特許第６３２９０８５号明細書
【特許文献１０】米国特許第６３３３１２２号明細書
【特許文献１１】米国特許第６３６５２７０号明細書
【特許文献１２】米国特許第６３９２２５０号明細書
【特許文献１３】米国特許第６４０３２３８号明細書
【特許文献１４】米国特許第２００２／００３４６５６号明細書
【特許文献１５】欧州特許出願公開第１２１５９４５号明細書
【特許文献１６】国際第０１４２２１８号パンフレット
【特許文献１７】国際第０１４５４６９号パンフレット
【非特許文献１】Ｊｕｎｊｉ  Ｋｉｄｏ  ｅｔ  ａｌ．，“Ｍｕｌｔｉｌａｙｅｒ  Ｗｈｉｔｅ  Ｌｉｇｈｔ−Ｅｍｉｔｔｉｎｇ  Ｏｒｇａｎｉｃ  Ｅｌｅｃｔｒｏｌｕｍｉｎｅｓｃｅｎｔ  Ｄｅｖｉｃｅ，”２６７  Ｓｃｉｅｎｃｅ  １３３２−１３３４（１９９５）
【非特許文献２】Ｕｅｋａｗａ  ｅｔ  ａｌ．，  Ｂｕｌｌｅｔｉｎ  ｏｆ  ｔｈｅ  Ｃｈｅｍｉｃａｌ  Ｓｏｃｉｅｔｙ  ｏｆ  Ｊａｐａｎ，  （１９９８），  ７１（９），  ｐｐ．  ２２５３−２２５８
【非特許文献３】Ｌｉｕ  ｅｔ  ａｌ．，  Ｓｙｎｔｈｅｔｉｃ  Ｍｅｔａｌｓ，  ９１  （１９９７），  ｐｐ．  ２６７−２６９
【非特許文献４】ＭｃＧｅｈｅｅ  ｅｔ  ａｌ．，  Ａｄｖａｎｃｅｄ  Ｍａｔｅｒｉａｌｓ，  （１９９９），  ｖｏｌ．  １１，  Ｎｏ．  １６，  ｐｐ．  １３４９−１３５４
【非特許文献５】Ｋｉｄｏ  ｅｔ  ａｌ．，  Ｊａｐａｎｅｓｅ  Ｊｏｕｒｎａｌ  ｏｆ  Ａｐｐｌｉｅｄ  Ｐｈｙｓｉｃｓ，  Ｐａｒｔ  ２：  Ｌｅｔｔｅｒｓ，  ３５，  （３Ｂ），  Ｌ３９４−Ｌ３９６，  （１９９６）